(57)【要約】【課題】コーナー下空隙を覆うコーナーカバーを簡単に設置でき、隙間が発生したとしてもその隙間が目立たないフェンスを提供する。【解決手段】左側のパネル体２と、右側のパネル体２と、左側の下カバー１０と、右側の下カバー１０と、連結材３と、コーナーカバー２０を備え、左側のパネル体２と右側のパネル体２は、左右に間隔をあけて連結材３で互いに回動自在に連結されており、左側の下カバー１０は、左側のパネル体２の下桟２ｂに取り付けられており、右側の下カバー１０は、右側のパネル体２の下桟２ｂに取り付けられており、コーナーカバー２０は、左側の下カバー１０に取り付けられており、右側の下カバー１０に向けて延出する延出部２２を有し、延出部２２で左側の下カバー１０と右側の下カバー１０との間の隙間を塞いでいる。【選択図】図４
2019044363.tif 000002
【特許請求の範囲】
【請求項１】
見付方向一方側パネル体と、見付方向他方側パネル体と、見付方向一方側下カバーと、見付方向他方側下カバーと、連結材と、コーナーカバーを備え、
見付方向一方側パネル体と見付方向他方側パネル体は、左右に間隔をあけて連結材で互いに回動自在に連結されており、
見付方向一方側下カバーは、見付方向一方側パネル体の下端部に取り付けられており、
見付方向他方側下カバーは、見付方向他方側パネル体の下端部に取り付けられており、
コーナーカバーは、見付方向一方側下カバーに取り付けられており、見付方向他方側下カバーに向けて延出する延出部を有し、
延出部で見付方向一方側下カバーと見付方向他方側下カバーとの間の隙間を塞いでいることを特徴とするフェンス。
【発明の詳細な説明】
【技術分野】
【０００１】
本発明は、フェンスに関する。
【背景技術】
【０００２】
従来、非特許文献１に示すような、パネルを支柱で支持する構造のフェンスにおいては、パネルと設置面の間に隙間が形成されている。
【先行技術文献】
【非特許文献】
【０００３】
【非特許文献１】「エクステリア総合カタログ２０１６−２０１７」、三協立山株式会社、２０１６年３月発行、カタログＮｏ．ＳＴＸ１０１３Ａ、ｐ．７６６
【発明の概要】
【発明が解決しようとする課題】
【０００４】
このような従来のフェンスにおいて、パネルと設置面の間の隙間を隠したいという要望があり、特に、パネルの連結部においてもその下方の隙間を隠すことができるものが求められていた。
【０００５】
本発明は、上記事情を鑑みたものであり、立設したパネルを備え、パネルと設置面の間の隙間及びパネルの連結部の下方の隙間を隠すことができる構造体を提供することを目的とする。
【課題を解決するための手段】
【０００６】
本願請求項１に係る発明は、見付方向一方側パネル体と、見付方向他方側パネル体と、見付方向一方側下カバーと、見付方向他方側下カバーと、連結材と、コーナーカバーを備え、見付方向一方側パネル体と見付方向他方側パネル体は、左右に間隔をあけて連結材で互いに回動自在に連結されており、見付方向一方側下カバーは、見付方向一方側パネル体の下端部に取り付けられており、見付方向他方側下カバーは、見付方向他方側パネル体の下端部に取り付けられており、コーナーカバーは、見付方向一方側下カバーに取り付けられており、見付方向他方側下カバーに向けて延出する延出部を有し、延出部で見付方向一方側下カバーと見付方向他方側下カバーとの間の隙間を塞いでいることを特徴とするフェンスである。
【発明の効果】
【０００７】
請求項１に記載の発明によれば、コーナー下空隙を覆うコーナーカバーの部品数を少なくでき、取り付け作業を簡単にして、隙間が生じたとしてもその隙間が目立つことがないようにすることができる。
【図面の簡単な説明】
【０００８】
【図１】本発明の第１実施の形態に係るフェンスであって、（ａ）は平面図、（ｂ）は（ａ）に示すフェンスの道路側から見た正面図である。
【図２】本発明の第１実施の形態に係るフェンスの下カバーとコーナーカバーとを斜め上から見た斜視図である。
【図３】図１（ｂ）に示すＡ−Ａ断面図である。
【図４】図１（ｂ）に示すＢ−Ｂ断面図である。
【図５】本発明の第２実施の形態に係るフェンスであって、図１（ｂ）のＡ−Ａと同じ位置で切断して示す断面図である。
【図６】本発明の第３実施の形態に係るフェンスであって、図１（ｂ）のＡ−Ａと同じ位置で切断して示す断面図である。
【発明を実施するための形態】
【０００９】
〔第１の実施形態〕
以下、本発明の第１の実施形態について図面の図１乃至図４と共に説明する。なお、本発明は、実施形態の場合に限定されない。
図１に示すように、第１の実施形態に係るフェンス１は、家側と道路側との境界部であって、入隅となる部分に設けられたものである。入隅の角度は約１２０°である。フェンス１は、パネル体２と連結材３とを備えており、入隅部分は、連結材３によって左側のパネル体２と右側のパネル体２が屈曲して連結されている。
【００１０】
本実施形態において、左側とは道路側からフェンス１を見たときの左側で、本願発明の見付方向一方側に相当し、同様に右側とは道路側からフェンス１を見たときの右側で、本願発明の見付方向他方側に相当する。
また、本実施形態において、道路側は本願発明の見込方向一方側に相当し、家側は本願発明の見込方向他方側に相当する。
【００１１】
左側のパネル体２及び右側のパネル体２は、いずれも同一構成であるので左側のパネル体２について説明する。パネル体２は、上桟２ａ、下桟２ｂ及び一対（左側は図示せず）の縦桟２ｃ、目隠し板２ｄ、柱体２ｅを備えている。上桟２ａ、下桟２ｂ及び縦桟２ｃで組み立てられた枠内に複数の目隠し板２ｄが隙間なく並設されている。上桟２ａ及び下桟２ｂは、基礎５から立設された柱体２ｅに連結されている。
【００１２】
連結材３は、左側のパネル体２と右側のパネル体２とを間隔を空けて互いに回動自在に連結するものであり、隅部の角度に合わせて設置することが可能なものである。連結材３は、上連結具３ａ、下連結具３ｂ及び目隠し体３ｃを備えている。上連結具３ａ及び下連結具３ｂは、回動可能に連結された両接続端部が中空部を備える上桟２ａ及び下桟２ｂの端部に挿入されビス留めされている。目隠し体３ｃは、上連結具３ａと下連結具３ｂとの間に設けられて、上連結具３ａ、下連結具３ｂ、左右側のパネル体２の縦桟２ｃとで形成される隙間を遮蔽するものである。
【００１３】
パネル体２の下桟２ｂと基礎５との間には隙間が生じるが、道路側からこの隙間を介して家側が見られないようにするために、この隙間は下カバー１０によって塞がれている。下カバー１０は、下桟２ｂの道路側に下カバー取付ネジ４によって、左側のパネル体２と右側のパネル体２の下端部に各々取り付けられている。
下連結具３ｂ、基礎５、左側の下カバー１０及び右側の下カバー１０とで形成される隙間は、コーナーカバー２０によって遮蔽されている。コーナーカバー２０は、左側の下カバー１０に取り付けられており、右側の下カバー１０には連結されていない。
【００１４】
図２は、左側の下カバー１０とコーナーカバー２０の取付構造を示したものである。
下カバー１０は、下カバー本体１１と端部キャップ１２とを有している。下カバー本体１１は、押し出し成形された板状の部材であって、遮蔽部１１ａ、取付片１１ｂ、補強部１１ｃ、弾性材取付部１１ｄ及び端部キャップ取付部１１ｅを有している。
遮蔽部１１ａは、下桟２ｂと基礎５との隙間を遮蔽する平板状の部分である。取付片１１ｂは、遮蔽部１１ａの上端より家側に屈曲されさらに上方に屈曲された部分である。取付片１１ｂが、下カバー取付ネジ４によって下桟２ｂに固定されることで、下カバー１０がパネル体２に取り付けられる。補強部１１ｃは、中空部を備え遮蔽部１１ａの家側面に左右方向全長にわたってほぼ中央の高さの位置に設けられる。弾性材取付部１１ｄは、遮蔽部１１ａの下端の家側に設けられる溝であって、図３に示す弾性材１３が取り付けられる。端部キャップ取付部１１ｅは、端部キャップ１２を取り付けるためのネジ孔であって、遮蔽部１１ａの家側面で取付片１１ｂより下方であって補強部１１ｃより上方の位置と、補強部１１ｃの家側下部との二箇所に設けられている。
【００１５】
端部キャップ１２は、下カバー本体１１の端部を隠すため平板状に形成されている。端部キャップ１２は、開口１２ａを二箇所備えており、この開口１２ａにネジ１２ｂを通して下カバー本体１１の端部キャップ取付部１１ｅに螺合させることで下カバー本体１１の端部に取り付けられる。端部キャップ１２は、コーナーカバー２０を取り付けるためのネジ孔１２ｃを上下二箇所に備えている。
【００１６】
コーナーカバー２０は、端部キャップ１２に取り付けられる取付部２１と、取付部２１の道路側端部から右側の下カバー１０に向けて延出した延出部２２とを備え、Ｌ字状の形状をしている。取付部２１は、端部キャップ１２のネジ孔１２ｃに対応する位置に円形の開口２１ａを備えており、開口２１ａにネジ２１ｂが通されて、端部キャップ１２に取り付けられる。
【００１７】
図３は、下桟２ｂに取り付けられた下カバー１０にコーナーカバー２０を設けた状態を示したものである。
下桟２ｂの道路側には、取付片１１ｂによって下カバー本体１１が設けられている。弾性材取付部１１ｄには、弾性材１３が取り付けられている。弾性材１３は、基礎５と下カバー１０との間に隙間が生じた際に塞ぐことが可能なもので、特に基礎に不陸がある際に不陸に応じて変形して隙間を塞ぐことができるものである。
【００１８】
下カバー本体１１には、ネジ１２ｂによって端部キャップ１２が取り付けられている。端部キャップ１２の道路側の端部は、下カバー本体１１の道路側面に沿った形状となっている。端部キャップ１２の家側の端部は、下桟２ｂの家側の端部から下方に向って降ろした線に合わせた形状となっている。端部キャップ１２の上部は、下桟２ｂの断面部に対応して切欠かれており、下桟２ｂに取り付けられた下連結具３ｂと干渉しないようになっている。端部キャップ１２の下部は、基礎５と接する程度に位置するようになっている。
【００１９】
コーナーカバー２０は、取付部２１がネジ２１ｂによって端部キャップ１２に固定されている。取付部２１の家側の端部は、下桟２ｂの見込方向の長さの略半分程度の位置となるように設定されている。
コーナーカバー２０は、延出部２２が下カバー本体１１の遮蔽部１１ａの道路側の面に略面一となるように取り付けられている。コーナーカバー２０の取付部２１と延出部２２の上下方向の長さは同じであり、下桟２ｂに取り付けられる下連結具３ｂの下方から基礎５までの隙間を塞ぐのに必要な長さとなっている。
【００２０】
図４は、下連結具３ｂの下方に設けられ、左側の下カバー１０に取り付けられたコーナーカバー２０が左側の下カバー１０と右側の下カバー１０との隙間に塞いだ状態を示したものである。
同図において、左右側の下カバー１０及びコーナーカバー２０の上方に位置する下桟２ｂの端部及び中空部並びに下連結具３ｂは、二点破線で示している。下連結具３ｂの左右両側の接続端部３ｂ１は、左右の下桟２ｂの端部の中空部に挿入され、家側からネジ３ｂ２によって左右の下桟２ｂに固定されている。
【００２１】
コーナーカバー２０は、左側の下カバー１０にだけ取り付けられ、右側の下カバー１０には取り付けられない。
延出部２２の先端２２ａは、見込方向においては、右側の下カバー１０の道路側の左側端部１０ａよりも家側に位置しているとともに、見付方向においては、右側の下カバー１０の道路側の左側端部１０ａよりも右側に位置しており、右側の下カバー１０で延出部２２の先端２２ａが隠されている。すなわち、コーナーカバー２０の延出部２２の少なくとも先端２２ａと右側の下カバー１０とが道路側から見ると重なっている。
また、延出部２２の先端２２ａは、右側の下カバー１０の端部キャップ１２に当接するように設けられている。
コーナーカバー２０は、延出部２２の道路側の面が、下カバー本体１１の遮蔽部１１ａの道路側の面及び端部キャップ１２の道路側端部と略面一になるように取り付けられる。
【００２２】
左側のパネル体２と右側のパネル体２とは連結材３によって回動自在に連結されるので、入隅の角度が変化すると左側のパネル体２と右側のパネル体２との距離も変化することになる。これに対して、本実施形態では、コーナーカバー２０の延出部２２の左右方向の長さを一定としているので、左側の下カバー本体１１、右側の下カバー本体１１のいずれかまたは両者の左右方向の長さを切断するなどして調節している。すなわち、入隅の角度が１８０°で直線であるときには、通常、パネル体２の連結材３側の面と下カバー１０の連結材３側の面とは略面一とできるが、入隅の角度によっては下カバー１０の連結材３側の面がパネル体２の連結材３側の面に対して出入することがある。
本実施形態では、左右の下カバー本体１１が若干切断され、それらの端面が左右の下桟２ｂの端面より入った位置となっている。
【００２３】
第１の実施形態の作用効果を述べる。
コーナーカバー２０は、左側の下カバー１０に取り付けられるだけなので、部品数が少なくて済み、取り付け作業を簡単にできる。
延出部２２の先端２２ａは、見込方向においては、右側の下カバー１０の道路側の左側端部１０ａよりも家側に位置しているとともに、見付方向においては、右側の下カバー１０の道路側の左側端部１０ａよりも右側に位置しており、右側の下カバー１０で延出部２２の先端２２ａが隠されているので、延出部２２の先端２２ａと右側の下カバー１０（端部キャップ１２）とが接しなくて隙間が発生したとしても、その隙間が隠れることになり、見栄えもよく、その隙間から家側が見られることがない。また、延出部２２の先端２２ａと右側の下カバー１０とを連結しないので、施工を容易にできる。
また、延出部２２の先端２２ａと右側の下カバー１０との隙間が発生した際の家側が見られることがないという効果について、見る方向によっては隙間の存在が確認できその隙間から家側が見えることもあるが、このような厳密なものでなく、見える可能性が低下するという意味での効果である。
【００２４】
延出部２２の先端２２ａを右側の下カバー１０（端部キャップ１２）に当接させるので、延出部２２の先端２２ａと右側の下カバー１０との間に隙間が生じず、見栄えもよくすることができる。また、延出部２２の先端２２ａを右側の下カバー１０（端部キャップ１２）に当接させるだけであるので、例えば、先端２２ａを右側の下カバー１０の端部キャップ１２に当接させて左側の下カバー１０の端部キャップ１２にネジ２１ｂを螺着するだけで済み、施工を容易にできる。
コーナーカバー２０の延出部２２の道路側の面が、下カバー本体１１の遮蔽部１１ａの道路側の面及び端部キャップ１２の道路側端部と略面一になるように取り付けられるので、意匠性を良くすることができる。
【００２５】
本実施形態では、延出部２２の先端２２ａが右側の下カバー１０の端部キャップ１２に当接して、左側の下カバー１０と右側の下カバー１０との隙間を塞ぐものであるが、本発明はこれに限定されず、当接させずに右側の下カバー１０で延出部２２の先端２２ａが隠されているものであれば、左側の下カバー１０と右側の下カバー１０との隙間を塞ぐことになり、本発明に含まれる。
【００２６】
〔第２の実施形態〕
本発明の第２の実施形態を図５と共に説明する。なお、第１の実施形態と同様の事項については説明を省略し、異なる点を中心に説明する。
第２の実施形態は、入隅の角度を１５０°にしたものである。
この場合も、延出部２２の先端２２ａは、見込方向においては、右側の下カバー１０の道路側の左側端部１０ａよりも家側に位置しているとともに、見付方向においては、右側の下カバー１０の道路側の左側端部１０ａよりも右側に位置しており、右側の下カバー１０で延出部２２の先端２２ａが隠されている。すなわち、コーナーカバー２０の延出部２２の少なくとも先端２２ａと右側の下カバー１０とが道路側から見ると重なっている。また、延出部２２の先端２２ａは、右側の下カバー１０の端部キャップ１２に当接するように設けられている。
【００２７】
本実施形態のコーナーカバー２０の延出部２２の左右方向の長さは、第１の実施形態のものと同じであるので、第１の実施形態と同様に、左右の下カバー１０の左右方向の長さを調節して、コーナーカバー２０が取り付けられている。本実施形態では、左右の下カバー本体１１が若干切断され、それらの端面が左右の下桟２ｂの端面より入った位置となっている。
【００２８】
〔第３の実施形態〕
本発明の第３の実施形態を図６と共に説明する。なお、第１の実施形態及び第２の実施形態と同様の事項については説明を省略し、異なる点を中心に説明する。
第３の実施形態は、第１の実施形態や第２の実施形態とは異なり、入隅の角度を鋭角の８０°にしたものである。
この場合も、延出部２２の先端２２ａは、見込方向においては、右側の下カバー１０の道路側の左側端部１０ａよりも家側に位置しているとともに、見付方向においては、右側の下カバー１０の道路側の左側端部１０ａよりも右側に位置しており、右側の下カバー１０で延出部２２の先端２２ａが隠されている。すなわち、コーナーカバー２０の延出部２２の少なくとも先端２２ａと右側の下カバー１０とが道路側から見ると重なっている。
また、延出部２２の先端２２ａは、右側の下カバー１０の端部キャップ１２に当接しておらず、右側の下カバー１０の道路側の左側端部１０ａがコーナーカバー２０の延出部２２の道路側面に当接するように設けられている。
【００２９】
本実施形態のコーナーカバー２０の延出部２２の左右方向の長さは、第１の実施形態のものと同じであるので、第１の実施形態と同様に、左右の下カバー１０の左右方向の長さを調節して、コーナーカバー２０が取り付けられている。本実施形態では、左側の下カバー本体１１が大きく切断され、その端面が左側の下桟２ｂの端面より入った位置となっており、右側の下カバー本体１１が若干延長され、その端面が右側の下桟２ｂの端面より出た位置となっている。
【００３０】
本発明は上記の実施形態に限定されるものではない。例えば以下のようなものも含まれる。
本実施形態では、道路側を見込方向一方側とし、家側を見込方向他方側としたが、これに限られず、家側を見込方向一方側とし、道路側を見込方向他方側としてもよい。すなわち、出隅となる部分に設けるようにしてもよい。
本実施形態では、コーナーカバー２０について取付部２１と延出部２２とがＬ字状の形状であったが、これに限られず、例えば取付部２１の見込方向端部ではない部分から延出する延出部とするＴ字状であってもよい。
【００３１】
本実施形態では、コーナーカバー２０を取り付ける際にネジ２１ｂが通される取付部２１の開口２１ａは、円形となっているが、見込方向に長い長孔としてもよい。このようにすると、コーナーカバー２０を取り付ける際に、長孔を通したネジ２１ｂを仮留めして長孔に沿って見込方向にコーナーカバー２０をスライドさせることで、容易に延出部２２の先端２２ａを右側の端部キャップ１２に当接することができたりと、位置合わせが行い易くすることができる。
【００３２】
本実施形態では、コーナーカバー２０は、下カバー本体１１の遮蔽部１１ａの道路側の面に略面一となるように取り付けられているが、段差が生じるようになっても構わない。
本実施の形態では、コーナーカバー２０の取付部２１の上下方向の長さは、延出部２２の上下方向の長さと同じであったが、これに限られず、延出部２２の長さより短くてもよい。
本実施形態では、下カバー本体１１の下部に弾性材を設けているが、設けないようにしてもよい。
本実施形態では、弾性材を下カバー本体１１の下部に設け、端部キャップ１２やコーナーカバー２０の延出部２２の下部に弾性材を設けていないが、設けるようにしてもよい。
【００３３】
本実施形態では、隅部の角度変化に対応させるために、下カバーの長さを調整してコーナーカバーを取り付けるものであったが、これに限られず、コーナーカバーやパネル体などの長さを調整したりしてもよい。
【００３４】
実施形態における各技術的事項を組合せて適用して実施形態としても良い。
【符号の説明】
【００３５】
１        フェンス
２        パネル体
３        連結材
４        下カバー取付ネジ
５        基礎
１０      下カバー
１１      下カバー本体
１２      端部キャップ
１３      弾性材
２０      コーナーカバー
２１      取付部
２２      延出部
【図１】
2019044363.tif 000003
【図２】
2019044363.tif 000004
【図３】
2019044363.tif 000005
【図４】
2019044363.tif 000006
【図５】
2019044363.tif 000007
【図６】
2019044363.tif 000008
【手続補正書】
【提出日】平成29年12月28日(2017.12.28)
【手続補正１】
【補正対象書類名】明細書
【補正対象項目名】０００６
【補正方法】変更
【補正の内容】
【０００６】
本願請求項１に係る発明は、見付方向一方側パネル体と、見付方向他方側パネル体と、見付方向一方側下カバーと、見付方向他方側下カバーと、連結材と、コーナーカバーを備え、見付方向一方側パネル体と見付方向他方側パネル体は、左右に間隔をあけて連結材で互いに回動自在に連結されており、見付方向一方側下カバーは、見付方向一方側パネル体の下端部に取り付けられており、見付方向他方側下カバーは、見付方向他方側パネル体の下端部に取り付けられており、コーナーカバーは、見付方向一方側下カバーにのみ取り付けられており、見付方向他方側下カバーに向けて延出する延出部を有し、延出部で見付方向一方側下カバーと見付方向他方側下カバーとの間の隙間を塞いでいることを特徴とするフェンスである。
本願請求項２に係る発明は、見付方向一方側パネル体と、見付方向他方側パネル体と、見付方向一方側下カバーと、見付方向他方側下カバーと、連結材と、コーナーカバーを備え、見付方向一方側パネル体と見付方向他方側パネル体は、左右に間隔をあけて連結材で互いに回動自在に連結されており、見付方向一方側下カバーは、見付方向一方側パネル体の下端部に取り付けられており、見付方向他方側下カバーは、見付方向他方側パネル体の下端部に取り付けられており、コーナーカバーは、見付方向一方側下カバーに取り付けられており、見付方向他方側下カバーに向けて延出する延出部を有し、延出部で見付方向一方側下カバーと見付方向他方側下カバーとの間の隙間を塞いでおり、コーナーカバーの延出部の先端は、見付方向他方側下カバーの見込方向一方側側端部よりも見込方向他方側に位置し、見付方向他方側下カバーで隠されていることを特徴とするフェンスである。
本願請求項３に係る発明は、見付方向一方側パネル体と、見付方向他方側パネル体と、見付方向一方側下カバーと、見付方向他方側下カバーと、連結材と、コーナーカバーを備え、見付方向一方側パネル体と見付方向他方側パネル体は、左右に間隔をあけて連結材で互いに回動自在に連結されており、見付方向一方側下カバーは、見付方向一方側パネル体の下端部に取り付けられており、見付方向他方側下カバーは、見付方向他方側パネル体の下端部に取り付けられており、コーナーカバーは、見付方向一方側下カバーに取り付けられており、見付方向他方側下カバーに向けて延出する延出部を有し、延出部で見付方向一方側下カバーと見付方向他方側下カバーとの間の隙間を塞いでおり、コーナーカバーの延出部の先端は、見付方向他方側下カバーに当接していることを特徴とするフェンスである。
【手続補正２】
【補正対象書類名】特許請求の範囲
【補正対象項目名】全文
【補正方法】変更
【補正の内容】
【特許請求の範囲】
【請求項１】
見付方向一方側パネル体と、見付方向他方側パネル体と、見付方向一方側下カバーと、見付方向他方側下カバーと、連結材と、コーナーカバーを備え、
見付方向一方側パネル体と見付方向他方側パネル体は、左右に間隔をあけて連結材で互いに回動自在に連結されており、
見付方向一方側下カバーは、見付方向一方側パネル体の下端部に取り付けられており、
見付方向他方側下カバーは、見付方向他方側パネル体の下端部に取り付けられており、
コーナーカバーは、見付方向一方側下カバーにのみ取り付けられており、見付方向他方側下カバーに向けて延出する延出部を有し、
延出部で見付方向一方側下カバーと見付方向他方側下カバーとの間の隙間を塞いでいることを特徴とするフェンス。
【請求項２】
見付方向一方側パネル体と、見付方向他方側パネル体と、見付方向一方側下カバーと、見付方向他方側下カバーと、連結材と、コーナーカバーを備え、
見付方向一方側パネル体と見付方向他方側パネル体は、左右に間隔をあけて連結材で互いに回動自在に連結されており、
見付方向一方側下カバーは、見付方向一方側パネル体の下端部に取り付けられており、
見付方向他方側下カバーは、見付方向他方側パネル体の下端部に取り付けられており、
コーナーカバーは、見付方向一方側下カバーに取り付けられており、見付方向他方側下カバーに向けて延出する延出部を有し、
延出部で見付方向一方側下カバーと見付方向他方側下カバーとの間の隙間を塞いでおり、
コーナーカバーの延出部の先端は、見付方向他方側下カバーの見込方向一方側側端部よりも見込方向他方側に位置し、見付方向他方側下カバーで隠されていることを特徴とするフェンス。
【請求項３】
見付方向一方側パネル体と、見付方向他方側パネル体と、見付方向一方側下カバーと、見付方向他方側下カバーと、連結材と、コーナーカバーを備え、
見付方向一方側パネル体と見付方向他方側パネル体は、左右に間隔をあけて連結材で互いに回動自在に連結されており、
見付方向一方側下カバーは、見付方向一方側パネル体の下端部に取り付けられており、
見付方向他方側下カバーは、見付方向他方側パネル体の下端部に取り付けられており、
コーナーカバーは、見付方向一方側下カバーに取り付けられており、見付方向他方側下カバーに向けて延出する延出部を有し、
延出部で見付方向一方側下カバーと見付方向他方側下カバーとの間の隙間を塞いでおり、
コーナーカバーの延出部の先端は、見付方向他方側下カバーに当接していることを特徴とするフェンス。
【手続補正書】
【提出日】平成30年6月15日(2018.6.15)
【手続補正１】
【補正対象書類名】明細書
【補正対象項目名】０００６
【補正方法】変更
【補正の内容】
【０００６】
本願請求項１に係る発明は、見付方向一方側パネル体と、見付方向他方側パネル体と、見付方向一方側下カバーと、見付方向他方側下カバーと、連結材と、コーナーカバーを備え、見付方向一方側パネル体と見付方向他方側パネル体は、左右に間隔をあけて連結材で互いに回動自在に連結されており、見付方向一方側下カバーは、見付方向一方側パネル体の下端部に取り付けられており、見付方向他方側下カバーは、見付方向他方側パネル体の下端部に取り付けられており、コーナーカバーは、見付方向一方側下カバーにのみ取り付けられており、見付方向他方側下カバーに向けて延出する延出部を有し、延出部で見付方向一方側下カバーと見付方向他方側下カバーとの間の隙間を塞いでいることを特徴とするフェンスである。
本願請求項２に係る発明は、見付方向一方側パネル体と、見付方向他方側パネル体と、見付方向一方側下カバーと、見付方向他方側下カバーと、連結材と、コーナーカバーを備え、見付方向一方側パネル体と見付方向他方側パネル体は、左右に間隔をあけて連結材で互いに回動自在に連結されており、見付方向一方側下カバーは、見付方向一方側パネル体の下端部に取り付けられており、見付方向他方側下カバーは、見付方向他方側パネル体の下端部に取り付けられており、コーナーカバーは、見付方向一方側下カバーにのみ取り付けられており、見付方向他方側下カバーに向けて延出する延出部を有し、延出部で見付方向一方側下カバーと見付方向他方側下カバーとの間の隙間を塞いでおり、コーナーカバーの延出部の先端は、見付方向他方側下カバーの見込方向一方側側端部よりも見込方向他方側に位置し、見込方向一方側から見た場合、見付方向他方側下カバーで隠されていることを特徴とするフェンスである。
本願請求項３に係る発明は、見付方向一方側パネル体と、見付方向他方側パネル体と、見付方向一方側下カバーと、見付方向他方側下カバーと、連結材と、コーナーカバーを備え、見付方向一方側パネル体と見付方向他方側パネル体は、左右に間隔をあけて連結材で互いに回動自在に連結されており、見付方向一方側下カバーは、見付方向一方側パネル体の下端部に取り付けられており、見付方向他方側下カバーは、見付方向他方側パネル体の下端部に取り付けられており、コーナーカバーは、見付方向一方側下カバーにのみ取り付けられており、見付方向他方側下カバーに向けて延出する延出部を有し、延出部で見付方向一方側下カバーと見付方向他方側下カバーとの間の隙間を塞いでおり、コーナーカバーの延出部の先端は、見付方向他方側下カバーに当接していることを特徴とするフェンスである。
【手続補正２】
【補正対象書類名】特許請求の範囲
【補正対象項目名】全文
【補正方法】変更
【補正の内容】
【特許請求の範囲】
【請求項１】
見付方向一方側パネル体と、見付方向他方側パネル体と、見付方向一方側下カバーと、見付方向他方側下カバーと、連結材と、コーナーカバーを備え、
見付方向一方側パネル体と見付方向他方側パネル体は、左右に間隔をあけて連結材で互いに回動自在に連結されており、
見付方向一方側下カバーは、見付方向一方側パネル体の下端部に取り付けられており、
見付方向他方側下カバーは、見付方向他方側パネル体の下端部に取り付けられており、
コーナーカバーは、見付方向一方側下カバーにのみ取り付けられており、見付方向他方側下カバーに向けて延出する延出部を有し、
延出部で見付方向一方側下カバーと見付方向他方側下カバーとの間の隙間を塞いでいることを特徴とするフェンス。
【請求項２】
見付方向一方側パネル体と、見付方向他方側パネル体と、見付方向一方側下カバーと、見付方向他方側下カバーと、連結材と、コーナーカバーを備え、
見付方向一方側パネル体と見付方向他方側パネル体は、左右に間隔をあけて連結材で互いに回動自在に連結されており、
見付方向一方側下カバーは、見付方向一方側パネル体の下端部に取り付けられており、
見付方向他方側下カバーは、見付方向他方側パネル体の下端部に取り付けられており、
コーナーカバーは、見付方向一方側下カバーにのみ取り付けられており、見付方向他方側下カバーに向けて延出する延出部を有し、
延出部で見付方向一方側下カバーと見付方向他方側下カバーとの間の隙間を塞いでおり、
コーナーカバーの延出部の先端は、見付方向他方側下カバーの見込方向一方側側端部よりも見込方向他方側に位置し、見込方向一方側から見た場合、見付方向他方側下カバーで隠されていることを特徴とするフェンス。
【請求項３】
見付方向一方側パネル体と、見付方向他方側パネル体と、見付方向一方側下カバーと、見付方向他方側下カバーと、連結材と、コーナーカバーを備え、
見付方向一方側パネル体と見付方向他方側パネル体は、左右に間隔をあけて連結材で互いに回動自在に連結されており、
見付方向一方側下カバーは、見付方向一方側パネル体の下端部に取り付けられており、
見付方向他方側下カバーは、見付方向他方側パネル体の下端部に取り付けられており、
コーナーカバーは、見付方向一方側下カバーにのみ取り付けられており、見付方向他方側下カバーに向けて延出する延出部を有し、
延出部で見付方向一方側下カバーと見付方向他方側下カバーとの間の隙間を塞いでおり、
コーナーカバーの延出部の先端は、見付方向他方側下カバーに当接していることを特徴とするフェンス。